【事件の表示】
　平成８年特許願第６５２０４号「スライドトレーのイジェクト機構、記録媒体駆動装置及び電子機器」拒絶査定不服審判事件〔平成９年９月５日出願公開、特開平９−２３１６５１〕について、次のとおり審決する。
【結　論】
　本件審判の請求は、成り立たない。
【理　由】
１　手続の経緯・本願発明 
　本願は、平成８年２月２８日の出願であって、平成１８年１月１２日付けでした拒絶査定に対し、同年２月１５日に拒絶査定不服審判が請求されるとともに、同年３月１６日付けで手続補正がされ、当審において平成２０年１２月１６日付けで拒絶理由を通知したところ、平成２１年２月１６日付けで明細書について手続補正がなされたものである。
　
　そして、本願の請求項１及び２に係る発明は、下記［注］の点を除き、平成２１年２月１６日付けで手続補正された明細書の特許請求の範囲の請求項１及び２に記載された事項により特定されるとおりのものと認められるところ、請求項１に係る発明（以下、「本願発明」という。）は次のとおりである。
　
「本体側筐体に引き出し可能に設けられたスライドトレーのイジェクト機構であって、
　上記スライドトレーを上記本体側筐体から引き出す弾発力が蓄えられる弾発部材と、
　上記弾発力の発動を阻止するロック手段とを備え、
　上記ロック手段は、上記本体側筐体に設けられた係合部と係合する被係合部と、
　上記被係合部を上記ロック手段がロックされるロック位置からこのロックが解除されるロック解除位置へ移動させる移動手段と、
　上記被係合部を移動させる駆動力を供給するモータと、
　上記モータからの駆動力を上記移動手段に伝達する伝達手段とを備え、
　上記移動手段には、上記モータを駆動するスイッチをオン・オフさせるカム面が形成され、
　上記スライドトレーのイジェクト時には、上記移動手段が回転し、上記カム面が上記スイッチをオンの状態として上記モータが駆動されるとともに、上記移動手段が上記被係合部を操作して、該被係合部が操作されることによって、上記ロック機構のロックが解除されて、上記弾発部材の弾発力によって、上記スライドトレーが上記本体側筐体から引き出され、
　上記カム面は上記移動手段の外周に近い押圧部と該押圧部より上記移動手段の内周側に形成された非押圧部とを有し、上記移動手段が回転して上記押圧部が上記スイッチの操作子に対向する位置において、該操作子を押圧することにより、上記モータがオンされるとともに、上記非押圧部が上記操作子に対向する位置に位置することによって、上記スイッチがオフされ、
　上記モータの駆動回路は２つの系統で構成され、上記スライドトレーのイジェクトスイッチが押されると、上記モータの駆動回路の上記２つの系統のうちの第１の系統が閉じて上記モータに電流が流れて上記モータが回転し、これによって上記移動手段が回転するとともに、該第１の系統は、所定時間後には電流が切られるように構成され、
　上記モータに電流が流れ、該モータが回転して、上記移動手段が回転を開始し、該移動手段が所定角度回転すると、上記カム面の上記押圧部が上記スイッチの上記操作子を押圧して、上記スイッチが介挿されている上記モータの駆動回路の上記２つの系統のうちの第２の系統に電流が流れて上記モータが回転し、これによって上記移動手段が回転するとともに、該第２の系統は、所定時間後には電流が切られるように構成された
　ことを特徴とするスライドトレーのイジェクト機構。」
　
　［注］ただし、「上記ロック機構」とあるところは、「上記ロック手段」の誤記と認める。
　
　
２　引用例
（１）これに対して、平成２０年１２月１６日付けで当審から通知した拒絶の理由に引用した特開平７−２３５１１２号公報（以下、「引用例１」という。）には、図面とともに以下の事項が記載されている（以下、下線は当審で付した。）。　
　
（ア）「【０００６】
ＣＤ−ＲＯＭドライブ本体８２は、パソコン本体７１の収容部７３に対してＡ
１
，Ａ
２
方向に摺動可能
　
（イ）「【０００９】イジェクト操作が行われると、プランジャ９２が通電され、プランジャ９２の鉄心９３がＥ２方向に移動する。この際、鉄心９３の端部がロックアーム９４の端部９４ｂに当接してロックアーム９４が時計方向に回動する。これにより、端部９４ａがロックピン９７から外れてロックが解除され、同時にＣＤ−ＲＯＭドライブ本体８２は、図示しない押し出し機構によりＡ２方向に所定量押し出される。この後、操作者は、正面パネル８５を持ってＣＤ−ＲＯＭドライブ本体８２をＡ２方向に引き出すことができる。
【００１０】引き出されたＣＤ−ＲＯＭドライブ本体８２を収容させるときは、ＣＤ−ＲＯＭドライブ本体８２をＡ１方向に押し込むと、ロックアーム９４の端部９４ａがロックピン９７に引っ掛かり、ＣＤ−ＲＯＭドライブ本体８２はロックされる。
【００１１】
図７は、モータ１０２とカムギヤ群１０３によるロック機構１０１を備えたＣＤ−ＲＯＭドライブ
【００１２】
ロック機構１０１は、パソコン本体７１の収容部７３の奥に設けたモータ１０２、カムギヤ群１０３、ロックアーム１０４、バネ１０６からなり、また、ＣＤ−ＲＯＭドライブ本体８２には、ロックピン９７が設けてある
モータ１０２が非通電状態では、ロックアーム１０４は、バネ１０６により、軸１０５を支点として時計方向に回動付勢され
【００１３】
ＣＤ−ＲＯＭドライブ本体８２が収容部７３に収容された状態では、ロックアーム１０４の端部１０４ａがロックピン９７に引っ掛かり、ＣＤ−ＲＯＭドライブ本体８２はＡ
２
方向に引き出しができないようにロックされている
【００１４】
イジェクト操作が行われると、モータ１０２が動作して、カムギヤ１０３ｂ，１０３ａが回動し、カムピン１０７がロックアーム１０４の端部１０４ｂを押圧する
これにより、ロックアーム１０４は反時計方向に回動して、端部１０４ａがロックピン９７から外れてロックが解除され、同時にＣＤ−ＲＯＭドライブ本体８２は、図示しない押し出し機構によりＡ
２
方向に所定量押し出される。
　
（ウ）「【００２３】
【実施例】図１、図２は、
本発明の一実施例のＣＤ−ＲＯＭドライブ２１
ＣＤ−ＲＯＭドライブ２１が収容部に収容されてロックされた状態
図２は、ロックされる少し前の状態を示す
【００２４】また、図３、図４は、ＣＤ−ＲＯＭドライブ２１の正面図を示す。なお、図３は、ＣＤ−ＲＯＭドライブ本体２２の摺動機構を示す。また、図５は、図１の一点鎖線Ｃ１，Ｃ２に沿った側面図を示す。
【００２５】
ＣＤ−ＲＯＭドライブ２１は、引き出し部としての偏平な直方体形状のＣＤ−ＲＯＭドライブ本体２２
 ＣＤ−ＲＯＭドライブ本体２２は、パソコン本体１１の収容部１３に対してＡ
１
，Ａ
２
方向に摺動可能に配設されている
【００２６】また、
ＣＤ−ＲＯＭドライブ本体２２のロック及びロック解除を行う係止機構であるロック機構４１がＣＤ−ＲＯＭドライブ本体２２内に設けられ、ＣＤ−ＲＯＭドライブ本体２２を収容部１３から押し出す押し出し機構５６がＣＤ−ＲＯＭドライブ本体２２の後端付近に設けてある
　
（エ）「【００２９】
ロック機構４１は、ＣＤ−ＲＯＭドライブ本体２２内の前部に設けられており、軸４３で回動自在に支持された腕状部材であるロックアーム４２、付勢部材としてロックアーム４２とＣＤ−ＲＯＭドライブ本体２２のバネ係止部５０間に設けたバネ４９、腕状部材回動機構であるプランジャ４５からなる
【００３０】プランジャ４５が非通電状態では、ロックアーム４２は、バネ４９により軸４３を支点として反時計方向に回動付勢されており、端部４２ｃがストッパ４８に当接している。プランジャ４５の鉄心４７は、プランジャ本体４６に対してＢ１，Ｂ２方向に移動可能であり、プランジャ４５が通電状態のときには、Ｂ２方向に引きつけられる。
【００３１】
収容部１３の底面１７には、ロック機構４１により係止される被係止部材であるロックピン５５が固定され
ＣＤ−ＲＯＭドライブ本体２２が収容部１３に収容された状態では、ロックピン５５は、ロックアーム４２の係止部４２ａにより係止される
【００３２】上記のように、
ロック機構４１は、ロックアーム４２、プランジャ４５、バネ４９からなり、簡単な構成である
【００３３】
押し出し機構５６は、スライドレバー５７、ＣＤ−ＲＯＭドライブ本体２２に設けたバネ係止部６１とスライドレバーの端部５７ｄ間に設けたバネ６０からなる
スライドレバー５７は、バネ６０により、Ａ
１
方向に付勢されている。
ＣＤ−ＲＯＭドライブ本体２２が収容部１３に収容され
【００３４】次に、ＣＤ−ＲＯＭドライブ本体２２の排出、収容の動作について説明する。ＣＤ−ＲＯＭドライブ本体２２が収容部１３に収容された状態では、プランジャ４５は非通電状態で、
ロックアーム４２の係止部４２ａがロックピン５５に引っ掛かり、ＣＤ−ＲＯＭドライブ本体２２はＡ
２
方向に引き出しができないようにロックされて
バネ６０が伸びた状態にある
【００３５】操作者が正面パネル２７に設けた
イジェクトスイッチ６５を押すと、ＣＤ−ＲＯＭドライブ２１の制御部（図示せず）は、イジェクト操作が行われ
【００３６】この後、制御部は、プランジャ４５に一定時間通電させて、プランジャ４５の鉄心４７をＢ２方向に移動させる。この際、鉄心４７の端部４７ａがロックアーム４２の端部４２ｃに当接してロックアーム４２が軸４３を支点として時計方向に回動する。これにより、
係止部４２ａがロックピン５５から外れてロックが解除される。
【００３７】
ロックが解除されると、押し出し機構５６のバネ６０が元の状態に縮むため、ＣＤ−ＲＯＭドライブ本体２２は、ガイド溝２４ａ，２５ａがレール部材６７，６８に案内されて、前方（Ａ
１
方向）に所定長だけ押し出される
【００３８】この後、操作者は、正面パネル２７を持って、ＣＤ−ＲＯＭドライブ本体２２を引き出し、ＣＤ−ＲＯＭドライブ本体２２を最後まで引き出した状態で、ＣＤ−ＲＯＭの装脱を行う。」
　
（オ）「【００４４】なお、
ロック機構４１のプランジャ４５の代わりに、モータとカムギヤの組合せを用いることも可能である
 　 
（カ）図１の平面図には、収容部１３に収容されているＣＤ−ＲＯＭドライブ２１が図示されている。また、ロックピン５５にロックアーム４２の端部４２ａに引っ掛かり、ＣＤ−ＲＯＭドライブ２１ロックされている。
　
（キ）図２の平面図には、収容部１３に収容される前のＣＤ−ＲＯＭドライブ本体２１が図示され、また、ロックピン５５と、ロック機構４１のプランジャ４５が図示されている。
　
（ク）図５の側面図には、パソコン本体１１の収容部１３に収容されたＣＤ−ＲＯＭドライブ本体２１と、ロックピン５５とロック機構４１のプランジャ４５が図示されている。
　
（ケ）図７の平面図には、モータ１０２、少なくともカムギヤ１０３ａ及び１０３ｂを含むカムギヤ群１０３、上記カムギヤ１０３ａに形成されたカムピン１０７，ロックアーム１０４（端部１０４ａ、１０４ｂ）からなるロック機構１０１、及びＣＤ−ＲＯＭドライブ本体のロックピン９７に上記ロック機構のロックアームの一端部が係合している様子が示されている。
 　 
　上記記載又は図示事項からは、イジェクト操作によりＣＤ−ＲＯＭドライブ本体がパソコン本体が押し出されると、その後ＣＤ−ＲＯＭ本体を最後まで引き出した状態でＣＤ−ＲＯＭの装脱ができるようになるので、「イジェクト機構」が記載されていると把握できる。
　上記（ア）、（ウ）、（エ）、及び（カ）ないし（ク）の記載又は図示事項からすると、上記ＣＤ−ＲＯＭドライブ本体がパソコン本体の収容部に収容された状態にロックするロック機構の一実施例としてプランジャを用いたものが記載されているが、上記（オ）には、ロック機構のプランジャの代わりにモータとカムギヤの組合せを用いることも可能であることが記載され、上記モータとカムギヤの組合せとして、上記（イ）と図７（上記（ケ）参照）に従来例として記載されているモータとカムギヤの組合せに係る構成を用いてもよいことは明らかであるから、引用例１には、ロック機構をモータとカムギヤ群の組合せによることとした、次のようなイジェクト機構の発明（以下、「引用発明」という。）が記載されている。　
　
「パソコン本体の収容部から摺動して引き出し可能に設けられたＣＤ−ＲＯＭドライブ本体のイジェクト機構であって、
　上記ＣＤ−ＲＯＭドライブ本体を押し出すために元の状態に縮むバネと、
　ＣＤ−ＲＯＭドライブ本体を、押し出されないように上記バネが伸びた状態でロックするロック機構を有し、
　上記ロック機構は、パソコン本体の収容部に固定されたロックピンに引っ掛かるロックアームの係止部と、上記ロックピンに引っ掛かった係止部が外れてロックが解除されるようにロックアームの端部を押圧するカムピンを設けたカムギヤ（１０３ａ）を含むカムギヤ群と、イジェクト操作が行われると動作して上記カムギヤ群を回動させるモータとを備え、
　イジェクト操作時には、モータが動作して、カムギヤ群が回動して、カムピンがロックアームの端部を押圧し、ロックアームが回動して、ロックアームの係止部がロックピンから外れ、上記バネが縮んで、ＣＤ−ＲＯＭドライブ本体がパソコン本体の収容部から所定量だけ押し出されるように構成された
　ＣＤ−ＲＯＭドライブ本体のイジェクト機構。」
　
（２）同じく平成２０年１２月１６日付けで当審から通知した拒絶の理由に引用した特開平７−１３００６８号公報（以下、「引用例２」という。）には、ディスクドライブ装置について、図面とともに以下の技術事項が記載されている。
　
（コ）「【０００３】
カセットホルダ１５は、シャーシ（図示せず）に対して昇降自在に設けられ、スライド部材８の制御によって図２５の挿入位置と図２６の装着位置との間で変位する。
スライド部材８の挿入対応位置で挿入位置に位置し（図２５の状態）、スライド部材８の装着対応位置で装着位置に位置する
【０００４】図示しないスライダロック機構は、スライド部材８を引張りコイルバネ１２のバネ力に抗して挿入対応位置にロックし、このロックはディスクカセットＤＫがカセットホルダ１５内に完全挿入されると解除される。又、
カセットインスイッチＳＷ６８はディスクカセットＤＫがカセットホルダ１５と共に装着位置に位置されたことを検出する
【０００５】
オートイジェクト機構Ｄは、図示しないイジェクトモータと減速歯車機構とを有し、この減速歯車機構の出力歯車６３には出力カム６４が固定されている
オートイジェクト機構Ｄは出力カム６４の回転位置を検出する回転検出用スイッチ６６を有し
【０００６】
図３２にはイジェクトモータＭ
2
の駆動回路図が示されている。図３２において、マイコン１２３はイジェクトボタン１２４が押下されると、カセットインスイッチ６８がオン状態か否か検出する。カセットインスイッチ６８がオン状態であれば起動電流発生回路１２５に起動指令信号を出力し、起動電流発生回路１２５がイジェクトモータＭ
2
に起動電流を出力する。この起動電流は所定時間又はカセットインスイッチ６８がオフとなるまで出力される。又、イジェクトモータＭ
2
には回転検出用スイッチ６６がオン区間についても駆動電流が通電される
　
（サ）「【００３２】（オートイジェクト機構）オートイジェクト機構Ｄは、メインシャーシ５に固定されたギヤ・ド・モータブロック６０を有し、このギヤ・ド・モータブロック６０には図６に詳しく示す如く
イジェクトモータＭ
2
とこのモータＭ
2
の回転を減速する歯車群６２とが設けられている。この歯車群６２の出力歯車６３には出力カム６４が設けられ、この出力カム６４は出力歯車６３の回転で回転軌跡上を移動する
【００３３】
スライド部材８のカム受け面６５
【００３４】また、
図６及び図７に詳しく示すように、回転検出用スイッチ６６はギヤ・ド・モータブロック６０に設けられ、出力歯車６３と共に回転する円形カム６７によってオン・オフする。円形カム６７には切欠面６７ａが形成され、回転検出用スイッチ６６のプッシュロッド６６ａが切欠面６７ａ上を摺動する区間ではオフし、それ以外の区間ではオンする
【００３５】さらに、
前記イジェクトモータＭ
2
の駆動回路は従来例の図３２に示すものと同様である。カセットインスイッチ６８は図１に示され、ディスクカセットＤＫが挿入位置から装着位置へ変位する過程でオン
図８には出力カム６４の回転位置に対応するカセットインスイッチ６８、回転検出用スイッチ６６等の状態
　
（シ）「【００５１】カセットホルダ１５が図１８の挿入位置にあって  ディスクカセットＤＫをカセットホルダ１５の挿入完了位置まで挿入すると、スライダロック機構Ａが解除される。すると、スライド部財８が引張りコイルバネ１２のバネ力によって装着対応位置に変位し、これに伴なって
カセットホルダ１５が図１９の装着位置へ変位する
【００５２】
再生・記録動作が完了し、イジェクトボタン１２４を押すと、マイコン１２３はカセットインスイッチ６８がオン状態であることを条件として起動電流を所定時間通電する
起動電流の通電によって出力歯車６３と共に出力カム６４が初期位置より時計方向に回転する
【００５３】
一方、起動電流の所定時間以内に出力カム６４が回転検出用スイッチ６６のオン・オフポイント（図７に示す。）を通過して回転検出用スイッチ６６がオンし、イジェクトモータＭ
2
の回転が続行される
図２１に示すように、出力カム６４が引込み区間の終点まで来ると、スライド部材８が挿入対応位置まで変位し、且つ、カセットホルダ１５が挿入位置へ変位してスライダロック機構Ａがロックされ、この状態を保持する。挿入位置に変位されたカセットホルダ１５からはディスクカセットＤＫが排出される。
イジェクトモータＭ
2
は図２２に示す如く回転検出用スイッチ６６がオフする時点で回転を停止
出力カム６４が略初期位置の位置で停止する
　
（ス）図７には、出力歯車６３と、回転検出用スイッチ６６とプッシュロッド６６ａ、円形カム６７の切欠面６７ａとが図示されている。
　
（セ）図３２には、マイコン１２３、イジェクトボタン１２４、起動電流発生回路１２５、回転検出用スイッチ６６、カセットインスイッチ６８、イジェクトモータＭ２で形成されたイジェクトモータの駆動回路が図示されている。
　
（３）同じく平成２０年１２月１６日付けで当審から通知した拒絶の理由に引用した特開昭６２−２６２２５８号公報（以下、「引用例３」という。）には、ディスクプレイヤについて、図面とともに以下の技術事項が記載されている。
（ソ）「本発明はディスク載置部を有した
ディスク移動台を排出位置から演奏位置まで移動するディスクプレイヤ
　
（タ）「第１図に示す装置（１）の開放位置で、
デイスク（３）をデイスク移動台（２）のデイスク収納凹所（５）に装着し、デイスク載置台（４）に置いた状態から、手動押圧部７を押圧して装置（１）の内方向へ移動する
　
（チ）「デイスク移動台（２）の排出は回動解除レバー（２４）をバネ（２３）に抗して反時計方向に回動すればよい。この際、制御ピン（３１）（３２）に懸架された発条（３３）（３４）とクランプ移動板（４０）のスプリング（４６）との弾性復帰力により、
デイスク移動台（２）はその背面板（９）をコロ部材（３８）（３８）と作動片（４７）とにより押圧され、可動板（２６）と共に第１図に示す排出位置へと移動される
　
（４）同じく平成２０年１２月１６日付けで当審から通知した拒絶の理由に引用した特開昭６３−２３１７６２号公報（以下、「引用例４」という。）には、デイスク収納装置について、図面とともに以下の技術事項が記載されている。
（ツ）「第３図は本発明のディスク収納装置の外観を示す図であり、第３図において、１は筐体、２は筐体の一部を構成するトレーを示す。第４図は
トレー２が筐体から出ている（イジェクトした状態）を示す
トレー２が収納された状態を示す
１２はディスク駆動装置
　
（５）同じく平成２０年１２月１６日付けで当審から通知した拒絶の理由に引用した特開平７−１４７０４４号公報（以下、「引用例５」という。）には、ディスク装置について、図面とともに以下の技術事項が記載されている。
（テ）「【０００８】また、
ターンテーブル７にディスクをローディングするためのトレイ８が、装置筐体１の内部両側に配置したガイドレール９を介して、装置筐体１内に出没自在に装填できるようになっている。
　
３　対比
　本願発明と引用発明を対比する。
　引用発明の「パソコン本体の収容部から摺動して引き出し、収容可能に設けられたＣＤ−ＲＯＭドライブ本体」は、「摺動して」「引き出し」「収容」する動作が「スライド」といえることからすると、本願発明の「スライドトレー」と比較して、「本体側筐体に引き出し可能に設けられたスライド（要素）」である点で共通する。
　引用発明の「ＣＤ−ＲＯＭドライブ本体を押し出すために元の状態に縮むバネ」は、本願発明の「スライド（要素）を上記本体側筐体から引き出す弾発力が蓄えられる弾発部材」に相当する。
　引用発明の、「ＣＤ−ＲＯＭドライブ本体が、押し出されないように上記バネが伸びた状態でロックするロック機構」は、本願発明の「弾発力の発動を阻止するロック手段」に相当する。
　引用発明の「パソコン本体の収容部に固定されたロックピン」、及び「ロックピンに引っ掛かるロックアームの係止部」は、それぞれ本願発明の「本体側筐体に設けられた係合部」、及び「係合部と係合する被係合部」に相当する。
　引用発明の「カムピンを設けたカムギヤ（１０３ａ）」は、回動することでそこに設けられたカムピンがロックアームの端部を押圧し、ロックアームが回動して、ロックアームの係止部がロックピンから外れるように動作するものであるから、本願発明の「被係合部をロック手段がロックされるロック位置からこのロックが解除されるロック解除位置へ移動させる移動手段」に相当する。
　引用発明の「モータ」は、動作することにより、最終的にカムピンを設けたカムギヤを回動させるから、本願発明の「被係合部を移動させる駆動力を供給するモータ」に相当する。
　引用発明の「カムギヤ群」には、モータの回転を、最終的にカムピンを設けたカムギヤ（１０３ａ）まで伝達するためのギヤ（例えば、カムギヤ（１０３ｂ））が含まれることが明らかであるから、引用発明は、本願発明の「モータからの駆動力を移動手段に伝達する伝達手段」に相当する機構を備えている。
引用発明の「カムギヤ群」は、モータの回転を伝達するものであり、本願発明の「モータからの駆動力を移動手段に伝達する伝達手段」に相当する。
　引用発明の「イジェクト操作時」は、本願発明の「イジェクト時」に相当し、引用発明の「モータが動作して、カムギヤ群が回動して、カムピンがロックアームの端部を押圧し、ロックアームが回動して、ロックアームの係止部がロックピンから外れ、上記バネが縮んで、ＣＤ−ＲＯＭドライブ本体がパソコン本体の収容部から所定量だけ押し出され」るように構成された点は、本願発明の「モータが駆動されるとともに、移動手段が被係合部を操作して、被係合部が操作されることによって、ロック手段のロックが解除されて、弾発部材の弾発力によって、スライド（要素）が本体側筐体から引き出される」ように構成されたことに相当する。
　
　以上の対比を整理すると、両者は、次の点で一致する。
「本体側筐体に引き出し可能に設けられたスライド（要素）のイジェクト機構であって、
　上記スライド（要素）を上記本体側筐体から引き出す弾発力が蓄えられる弾発部材と、
　上記弾発力の発動を阻止するロック手段とを備え、
　上記ロック手段は、上記本体側筐体に設けられた係合部と係合する被係合部と、上記被係合部を上記ロック手段がロックされるロック位置からこのロックが解除されるロック解除位置へ移動させる移動手段と、上記被係合部を移動させる駆動力を供給するモータと、上記モータからの駆動力を上記移動手段に伝達する伝達手段とを備え、
　上記スライド（要素）のイジェクト時には、上記移動手段が回転し、上記モータが駆動されるとともに、上記移動手段が上記被係合部を操作して、該被係合部が操作されることによって、上記ロック手段のロックが解除されて、上記弾発部材の弾発力によって、上記スライド（要素）が上記本体側筐体から引き出されるように構成された
　スライド（要素）のイジェクト機構。」
　
　一方、次の２点で相違する。
相違点（ａ）
　本願発明では、「スライドトレー」が「本体側筐体に引き出し可能に設けられ」ているのに対し、引用発明では、パソコン本体の収容部からスライドして引き出されるものは、「ＣＤ−ＲＯＭドライブ本体」である点。
相違点（ｂ）
　本願発明では、ロック手段の備える「移動手段」について、
「移動手段には、モータを駆動するスイッチをオン・オフさせるカム面が形成され」、
「イジェクト時には、上記移動手段が回転し、上記カム面が上記スイッチをオンの状態として上記モータが駆動される」と特定されるとともに、
「上記カム面は上記移動手段の外周に近い押圧部と該押圧部より上記移動手段の内周側に形成された非押圧部とを有し、上記移動手段が回転して上記押圧部が上記スイッチの操作子に対向する位置において、該操作子を押圧することにより、上記モータがオンされるとともに、上記非押圧部が上記操作子に対向する位置に位置することによって、上記スイッチがオフされ、
　上記モータの駆動回路は２つの系統で構成され、上記スライドトレーのイジェクトスイッチが押されると、上記モータの駆動回路の上記２つの系統のうちの第１の系統が閉じて上記モータに電流が流れて上記モータが回転し、これによって上記移動手段が回転するとともに、該第１の系統は、所定時間後には電流が切られるように構成され、
　上記モータに電流が流れ、該モータが回転して、上記移動手段が回転を開始し、該移動手段が所定角度回転すると、上記カム面の上記押圧部が上記スイッチの上記操作子を押圧して、上記スイッチが介挿されている上記モータの駆動回路の上記２つの系統のうちの第２の系統に電流が流れて上記モータが回転し、これによって上記移動手段が回転するとともに、該第２の系統は、所定時間後には電流が切られるように構成された」と特定されるのに対して、引用発明には、このような特定がない点。
　
４　判断
　相違点（ａ）について
　引用例３に記載されたディスクプレイヤの「ディスク移動台」は、ディスク載置台を備え、排出位置と演奏位置を移動可能である点で、本願発明の「スライドトレー」に相当する。
　引用例４に記載されたディスク装置の「トレー」は、第４図を参照すると明らかなように、ディスク収納部３が設けられ、筐体に収納またはイジェクトされるものである点で、本願発明の「スライドトレー」に相当する。
　引用例５に記載されたディスク装置の「トレイ」は、ディスクをローディングするために筐体に出没自在とされている点で、本願発明の「スライドトレー」に相当する。
　これら各引用例からすると、本体側筐体にスライドトレーが引き出し可能に設けられたディスクプレイヤは周知である。
　イジェクト機構はディスク駆動装置の形式にかかわらず、ＣＤのような交換可能な媒体を記録再生する機器において、通常備えられる機構であるから、引用発明におけるイジェクト機構を、スライドトレーのみを本体側筐体から引き出す形式のディスクプレイヤに適用して、本体側筐体に引き出し可能に設けられたスライドトレーをイジェクトするように構成することは、引用例３ないし５で例示した周知技術を参照することにより当業者が容易に想到しうることである。
　
　相違点（ｂ）について
 引用例２にはディスクカセットをイジェクトするオートイジェクト機構を備えたディスクドライブ装置について記載されている。
　上記オートイジェクト機構は、イジェクトモータ、減速歯車機構、上記減速歯車機構の出力歯車に固定された出力カム、切欠面が形成され、上記出力歯車と共に回転する円形カム、及びプッシュロッドを備えた回転検出用スイッチとで構成され、回転検出用スイッチは円形カムの切欠面の区間でオフとされ、切欠面以外の区間でオンとなるものである。上記イジェクトモータの駆動回路は、イジェクトボタンが押下されるとモータに起動電流を所定の時間出力する系統と、回転検出用スイッチを有する系統とで形成されている。
　上記ディスクカセットのイジェクト時には、「円形カム」が回転検出用スイッチをオンの状態として、イジェクトモータが回転するとともに、「出力カム」がスライド部材のカム受け面に作用して、ディスクカセットをイジェクトする。
　すると、引用例２に記載されたオートイジェクト機構における「円形カム」は、本願発明の「モータを駆動するスイッチをオン・オフさせるカム面」に相当し、「カム面が上記スイッチをオンの状態として上記モータが駆動される」点において両者は共通する。引用例２のイジェクトモータは、イジェクト機構を動作させるための駆動源となるもので、「円形カム」のカム面は、イジェクトモータが確実に動作するためにスイッチを操作するためのものであるから、引用発明のイジェクト機構においても、カムピンの設けられたカムギアに、引用例２に記載されたオートイジェクト機構に設けられた円形カムをスイッチと対応させて設けることにより、
「移動手段には、上記モータを駆動するスイッチをオン・オフさせるカム面が形成され、」
「移動手段が回転し、上記カム面が上記スイッチをオンの状態として上記モータが駆動される」、及び
「上記カム面は上記移動手段の外周に近い押圧部と該押圧部より上記移動手段の内周側に形成された非押圧部とを有し、上記移動手段が回転して上記押圧部が上記スイッチの操作子に対向する位置において、該操作子を押圧することにより、上記モータがオンされるとともに、上記非押圧部が上記操作子に対向する位置に位置することによって、上記スイッチがオフされ」るように構成することは、当業者が容易に想到しうることである。
　また、引用例２において、イジェクトモータの駆動回路は、イジェクトボタンが押下されるとモータに起動電流を所定の時間出力する系統と、回転検出用スイッチを有する２つの系統とで形成されているから、本願発明の「上記モータの駆動回路は２つの系統で構成され」に相当する構成を備えている。
　引用例２において、イジェクトボタンが押下されると、第１の系統といえるイジェクトボタンを有する系統の駆動回路の通電でイジェクトモータに駆動電流が流れ、イジェクトモータが回転し、これによって出力歯車が回転するように所定時間通電されるから、本願発明の「上記スライドトレーのイジェクトスイッチが押されると、上記モータの駆動回路の上記２つの系統のうちの第１の系統が閉じて上記モータに電流が流れて上記モータが回転し、これによって上記移動手段が回転するとともに、該第１の系統は、所定時間後には電流が切られる」に相当する構成を備えている。
　さらに、引用例２において、イジェクトモータに起動電流が出力され、イジェクトモータが回転し、出力歯車が所定角度回転すると、切欠面の区間以外の区間で回転検出用スイッチがオンとなり、第２の系統といえる回転検出用スイッチを有する系統に駆動電流が流れてイジェクトモータが回転し、これによって出力歯車が回転するとともに、回転検出用スイッチを有する系統は、出力カムが略初期位置で停止するように通電されるから、本願発明の「上記モータに電流が流れ、該モータが回転して、上記移動手段が回転を開始し、該移動手段が所定角度回転すると、上記カム面の上記押圧部が上記スイッチの上記操作子を押圧して、上記スイッチが介挿されている上記モータの駆動回路の上記２つの系統のうちの第２の系統に電流が流れて上記モータが回転し、これによって上記移動手段が回転するとともに、該第２の系統は、所定時間後には電流が切られる」に相当する構成を備えている。
　すると、引用発明のイジェクト機構に、引用例２に記載されたオートイジェクト機構の構成を適用する際に、当該オートイジェクト機構の駆動回路を適用することにより、
「モータの駆動回路は２つの系統で構成され、イジェクトスイッチが押されると、モータの駆動回路の２つの系統のうち第１の系統が閉じてモータに電流が流れてモータが回転し、これによって出力歯車が回転するとともに、第１の系統は、所定時間後には電流が切られるように構成され、モータに電流が流れ、モータが回転して、出力歯車が回転を開始し、出力歯車が所定角度回転すると、円形カムの切欠面以外の区間がスイッチのプッシュロッドを押圧して、スイッチが介挿されているモータの駆動回路の２つの系統のうちの第２の系統に電流が流れてモータが回転し、これによって出力歯車が回転するとともに、第２の系統は、所定時間後にカムピンが初期状態で停止するような位置で電流が切られる」ように構成することは当業者が容易に想到しうることである。
　
　結局、上記各相違点は、格別なものではなく、また、上記相違点を総合的に検討しても本願発明の奏する効果は、当業者が容易に予測できる範囲内のものである。
　
５　むすび
　以上のとおり、本願発明は、引用例１ないし５に記載された発明に基づいて当業者が容易に発明をすることができたものであるから、特許法第２９条第２項の規定により特許を受けることができない。
　したがって、その余の請求項について検討するまでもなく、本願は拒絶すべきものである。
　よって、結論のとおり審決する。